(57)【要約】
【課題】防音効果を高める。
【解決手段】二重包囲体２と送風装置３とマフラー４とを有する。二重包囲体２は、内側包囲体５と外側包囲体６とを有する。内側包囲体５は、内部に人を収容可能である。外側包囲体６は、内側包囲体５の外側を包囲して内側包囲体５との間に閉じた通風路７を形成する。送風装置３は、送風口が通風路７に接続される。マフラー４は、流入口が通風路７に接続される。
【選択図】図１
0003101043.tif 000002
【実用新案登録請求の範囲】
【請求項１】
二重包囲体と送風装置とマフラーとを有し、前記二重包囲体は、人を収容可能な内側包囲体と、この内側包囲体の外側を包囲して内側包囲体との間に閉じた通風路を形成する外側包囲体とを有し、前記送風装置は送風口が前記通風路に接続され、前記マフラーは流入口が前記通風路に接続されていることを特徴とする防音装置。
【考案の詳細な説明】
【技術分野】
【０００１】
本考案は、例えば、楽器の練習を行ったり勉強したりする場合に、音が外部に漏れるのを防いだり、周囲の騒音を防いだりするための防音装置に関する。
【背景技術】
【０００２】
従来の防音装置としては、外壁と内壁との間に吸音材を詰めた部屋がある。
【考案の開示】
【考案が解決しようとする課題】
【０００３】
しかしながら、従来の防音装置では、吸音材の効果に限界があり、どうしても室内の音は外に漏れ、外の騒音は室内に入ってしまうという問題点があった。
【０００４】
本考案は、このような従来の問題点に着目してなされたもので、防音効果が高い防音装置を提供することを目的としている。
【課題を解決するための手段】
【０００５】
上記目的を達成するために、本考案に係る防音装置は、二重包囲体と送風装置とマフラーとを有し、前記二重包囲体は、人を収容可能な内側包囲体と、この内側包囲体の外側を包囲して内側包囲体との間に閉じた通風路を形成する外側包囲体とを有し、前記送風装置は送風口が前記通風路に接続され、前記マフラーは流入口が前記通風路に接続されていることを特徴とする。
【０００６】
二重包囲体の材質は、紙、プラスチック、木材、その他いかなる材質であってもよいが、音を伝達しにくい材質が好ましい。二重包囲体の大きさは、人が入れる大きさである。二重包囲体は、内側包囲体の内部に入るためのドアを有していても、全体を持ち上げてその内部に入るようになっていてもよい。二重包囲体は、底部が開放していても、箱状に閉じてドアを有していてもよい。二重包囲体の内部には、音源を収容してもよい。音源は、例えば、楽器、機械などである。送風装置は、家庭用電源で駆動可能なものが好ましい。送風装置からの送風は、通常の空気でも、温風でも、冷風でもよいが、送風圧力が大きいほど好ましい。温風の場合、内側包囲体の内部を暖かく保つことができ、冷風の場合、内側包囲体の内部を涼しく保つことができる。マフラーは、音波の共鳴減衰と拡散とを利用して消音する構造のものである。マフラーには、自動車用のマフラーと同様の構造のものを用いることができる。マフラーは、紙などの可燃性の材料から成ることが好ましい。
【０００７】
本考案に係る防音装置では、内側包囲体の内部に人を収容する。楽器の練習の場合、練習者が内側包囲体の内部に入って楽器を練習する。また、眠ったり勉強したりするため静かな環境が欲しい場合、内側包囲体の内部に入る。ミキサーなどの騒音を出す機械を動かす場合、ミキサー本体を内側包囲体の内部に収容する。内側包囲体の内部の音は、内側包囲体、通風路内の空気、外側包囲体の順に伝達されて外部に伝わる。外側包囲体の外部の音は、外側包囲体、通風路内の空気、内側包囲体の順に伝達されて内側包囲体の内部に伝わる。送風装置を駆動させ、その送風口から通風路に送風すると、通風路内の空気は送風により音波を乱し、消音する。このため、内側包囲体の内部の音は外部包囲体には伝わりにくく、また、外側包囲体の外部の音は内側包囲体には伝わりにくく、防音することができる。通風路を通過した空気は、マフラーに流入口から入り、マフラーで消音されて排出される。
【考案の効果】
【０００８】
本考案に係る防音装置によれば、二重包囲体を有して、内側包囲体と外側包囲体との間の通風路に送風し、通風路内の空気はマフラーを通して排出することができるので、防音効果を高めることができる。
【考案を実施するための最良の形態】
【０００９】
以下、図面に基づき本考案の一実施例を説明する。
図１および図２は、本考案の一実施例を示している。
図１に示すように、防音装置１は、二重包囲体２と送風装置３とマフラー４とを有している。二重包囲体２は、内側包囲体５と外側包囲体６とを有している。内側包囲体５は、１．８ｍ×１．８ｍ×１．８ｍ程度の大きさの箱体であって、下方に開口５ａを有している。内側包囲体５は、開口５ａを通して外部から人を収容可能である。外側包囲体６は、内側包囲体５より幾分大きい箱体であって、内側包囲体５の外側を包囲し、内側包囲体５との間に密閉した通風路７を形成している。内側包囲体５および外側包囲体６は、透明なプラスチック製である。二重包囲体２は、通風路７を外側包囲体６の外部と連通させる導入口７ａと排出口７ｂとを有している。送風装置３は、家庭用電源で駆動されるモーターと、モーターで回転する羽根とを有し、送風口３ａから送風するようになっている。送風口３ａは、導入口７ａに接続されている。
【００１０】
マフラー４は、図２に示すように、パイプ１１と共鳴管１２とを有している。パイプ１１は、共鳴管１２を貫通している。パイプ１１には、多数の穴１３が形成されている。共鳴管１２とパイプ１１との間の空間は、端面１２ａ，１２ｂと、隔壁１２ｃ，１２ｄとで区切られている。端面１２ａ，１２ｂ、隔壁１２ｃ，１２ｄの間隔は、内部に伝わる音波が共鳴減衰を起こす間隔に設定される。共鳴管１２内の区切られた領域には、吸音材１４が詰められている。図１に示すように、マフラー４の流入口１１ａは、二重包囲体２の排出口７ｂに接続されている。マフラー４は、流出口１１ｂから消音された空気を排出する。パイプ１１および共鳴管１２は厚紙から成り、吸音材１４は綿から成る。従って、マフラー４は、廃棄するときには、燃えるゴミとして捨てることができる。
【００１１】
次に、作用を説明する。
防音装置１を使用する場合、使用者は二重包囲体２を持ち上げ、開口５ａから内側包囲体５の内部に入る。楽器の練習の場合、練習者が内側包囲体５の内部に入って楽器を練習する。また、眠ったり勉強したりするため静かな環境が欲しい場合、内側包囲体５の内部に入る。ミキサーなどの騒音を出す機械を動かす場合、ミキサー本体を内側包囲体５の内部に収容する。内側包囲体５の内部の音は、内側包囲体５、通風路７内の空気、外側包囲体６の順に伝達されて外部に伝わる。外側包囲体６の外部の音は、外側包囲体６、通風路７内の空気、内側包囲体５の順に伝達されて内側包囲体５の内部に伝わる。
【００１２】
送風装置３を駆動させ、その送風口３ａから通風路７に送風すると、通風路７内の空気は送風により音波を乱し、消音する。このため、内側包囲体５の内部の音は外側包囲体６には伝わりにくく、また、外側包囲体６の外部の音は内側包囲体５には伝わりにくく、防音することができる。通風路７を通過した空気は、マフラー４に流入口１１ａから入り、マフラー４内で共鳴減衰、拡散、干渉、吸音材１４による吸音などがなされて、消音され、流出口１１ｂから排出される。
【００１３】
防音装置１は、集合住宅で夜間に楽器を練習する場合や、工事などの騒音の中で幼児に昼寝をさせる場合、カラオケ室など、種々の用途に使用することができる。
【図面の簡単な説明】
【００１４】
【図１】本考案の実施の態様の防音装置を示す断面図である。
【図２】本考案の実施の態様の防音装置のマフラーを示す断面図である。
【符号の説明】
【００１５】
１  防音装置
２  二重包囲体
３  送風装置
４  マフラー
５  内側包囲体
６  外側包囲体
７  通風路
【図１】
0003101043.tif 000003
【図２】
0003101043.tif 000004